(57)【要約】      （修正有）【課題】管を防護材で覆う工程において、埋設土を入れ、ランマー等で転圧した後、側板の連結部材のない部分が外側に広がったり、側板の下部が外側に広がったりすることのないようにして、防護工事完了後に埋設管に変形が生じないようにする埋設管の防護方法を提供する。【解決手段】埋設土で埋め戻す工程において、管路に対峙するように設置されている側板３が埋戻土の締固めにより外側に広がるようにして、埋設管が埋設土の締固めにより扁平しないようにする。【選択図】図５
2019112916.tif 000002
【特許請求の範囲】
【請求項１】
掘削溝内に管を埋設する時に、該管を中央にして前記管から一定の間隔をおいて対峙するように防護用側板を２枚配置し、該掘削溝内を土で埋戻し、該側板の高さまで埋設土を締固めした後、前記側板の上に上面用防護板を設置する方法にあって、前記掘削溝全体を土で埋戻し、該土を締固めすると前記側板が中央の前記管に対して外側に広がるようにしたことを特徴とする埋設管の防護方法。
【請求項２】
請求項１に記載の埋設管の防護方法に使用する防護構造にあって、配置された２枚の前記側板と前記側板を固定する自立用梁との取り付け部が、埋戻土の締固めの力で、前記側板が外側に広がるように、工夫された特殊自立用梁としていることを特徴とする防護構造。
【請求項３】
請求項２において、前記２枚の側板を固定する自立用梁が、前記側板が埋戻土の締固めで外側に広がり得るように、前記特殊自立用梁が伸びるような構造にしていることを特徴とする防護構造。
【発明の詳細な説明】
【技術分野】
【０００１】  本発明は、地中に管を埋設するときに、掘削機器による地中管の破損を適切に防ぐため、管の埋設と同時に、管の上面と側面に管の軸方向に沿って、防護板を覆う防護方法及び防護構造に関する。
【背景技術】
【０００２】  地中には水道管やガス管、電力ケーブル管等が埋設されている。また近年耐久性や施工性の観点から、管材質が金属製からプラスチック製に代わってきている。しかし、プラスチック製管は他工事によるバックホウやツルハシ等の掘削作業において、地中に敷設された管が破損や損傷することがある。【０００３】  このような掘削時の損傷を防ぐために、管が敷設されていることを示す埋設表示や、また敷設された管の上方に防護板を設置して管の掘削時の損傷を防ぐ技術や、管の上方と側面に防護板を設置する技術が公知である。【０００４】  特許文献１には、掘削溝内に埋設管を覆うように、門型フレームを管軸方向に間隔を隔てて配置し、該フレームの両側面に側面防護板を垂直に固定した後、掘削溝内に埋め戻し土で、前記フレームの上端まで埋め戻し、その後上面防護板を水平に配置し、その上に埋め戻し土を投入して、前記埋設管を防護する方法が記載されている。【０００５】  非特許文献１には、埋設管の管軸方向に一定の間隔を隔てて、連結部材で固定された防護用側板を配置し、埋戻土を入れ防護材上面まで、ランマー等で転圧した後に上面防護板を水平に配置し、その上に埋め戻し土を投入して、前記埋設管を防護する方法が掲載されている。
【先行技術文献】
【特許文献】
【０００６】
【特許文献１】特開２００１−３１１１３１号公報
【非特許文献】
【０００７】
【非特許文献１】株式会社土井製作所“埋設物の防護材”［ｏｎｌｉｎｅ］［平成２９年１１月２２日検索］  株式会社土井製作所  インターネット〈ＵＲＬ：ｈｔｔｐ：／／ｗｗｗ．ｄｏｉ−ｗｅｂ．ｃｏｍ／ｐｒｏｄｕｃｔ／ｕｎｄｅｒｇｒｏｕｎｄｉｎｇ／ｐｏｓｔ−１５．ｐｈｐ〉
【発明の概要】
【発明が解決しようとする課題】
【０００８】  特許文献１での従来技術は、埋設管を鋼板製の側面防護板と上面防護板で防護する方法が記載されているが、防護板が鋼板製であり、メリットは強度があり、加工やボルト締めなどが容易にできるが、長年の使用で腐食などが考えられる。結果として、防護板の役目を果たさなくなることが推定される。【０００９】  非特許文献１での従来技術の防護構造は、管を防護材で覆う工程においては、埋設土を入れ、ランマー等で転圧するとき、連結部材のあるところとないところで、転圧が不均一になり、連結部材のない部分の側板が弓状に外側に広がったり、側板の下部には連結部材がないため、側板下部が外側に広がったりすること想定される。これにより管周りの埋戻しが不均一になり、埋設完了後に管が変形したりすることが懸念される。【００１０】  そこで本発明の課題は、管を防護材で覆う工程において、埋設土を入れ、ランマー等で転圧した後、側板の連結部材のない部分が外側に広がったり、側板の下部が外側に広がったりすることのないようにして、防護工事完了後に埋設管に変形が生じないようにすることにある。
【課題を解決するための手段】
【００１１】  発明の対象は、地中埋設管として、水道管、ガス管、電力通信管、ケーブル保護管などが挙がられ、また管材は塩化ビニル管やポリエチレン管などが挙げられ、他工事による掘削工事に弱い樹脂製の管材料である。本発明の埋設管の防護方法においては、管布設時に管の防護を同時に行うので、管埋設後の防護する方法と違い、無理なく完全な防護工事が可能となる。【００１２】  請求項１の発明では、
防護用側板を設置した後、掘削溝全体を土で埋戻し、ランマーなどで前記側板の高さまで埋戻土を締固めすると、前記側板が埋設土により広がろうとする力が加わったときに、前記側板が広がるようにした技術的手段を講じている。【００１３】  請求項２の発明では、
前記管を中央にして管から一定の間隔をおいて対峙するように配置する前記側板を固定する特殊自立用梁には、前記側板との該特殊自立用梁の固定部分が、前記側板が埋戻土の締固めで広がるような力が加わったときに、広がるようにした技術的手段を講じている。【００１４】  請求項３の発明では、
前記管の両サイドから一定間隔をもって設置する前記側板と固定している特殊自立用梁が、前記側板が埋戻土の締固めで広がるような力が加わったときに、前記特殊自立用梁が伸びるようにした技術的手段を講じている。
【発明の効果】
【００１５】  掘削溝全体を埋め戻しするときに、前記防護用側板が広がるように工夫されており、その結果、管の周りの埋設土が均一に埋め戻され、防護工事完了後に管が扁平したりすることがない。
【図面の簡単な説明】
【００１６】
【図１】本発明の一実施例を示す図
【図２】本発明の一実施例を側面から見た図１のＡ−Ａ矢視図
【図３】埋戻土で埋戻しをした図
【図４】自立用梁のあるところは、側板の広がらない状態を示す図
【図５】自立用梁のないところは、側板の広がり状態を示す図
【図６】図４と図５を上から見た図
【図７】図４で、更に埋戻土で転圧したときの状況を示す図
【図８】側板が広がるように工夫した特殊自立用梁セットした図
【図９】特殊自立用梁により、側板が広がった状態を示す図
【図１０】側板の上に上板を載せ、埋戻土で埋め戻した状態を示す図
【図１１】特殊自立用梁の一例を示す図
【図１２】特殊自立用梁の実施例を示す図
【図１３】特殊自立用梁の別の実施例を示す図
【図１４】伸びる特殊自立用梁の実施例を示す図
【発明を実施するための形態】
【００１７】  以下に、本発明に係る管の埋設時の防護方法および防護構造について実施の形態について図面を参照にしながら説明する。
【００１８】  図１を参照にして、この発明の一例を説明する。
掘削溝の管床部１に埋設管２を置き、次に防護用の側板３を設置する。二枚の前記側板３が埋設する管１を中央にして一定の間隔をおいて対峙できるように、自立用梁４を前記側板３にセットする。図２にはそのＡ−Ａ矢視図が示されている。
【００１９】  図３は、掘削溝に埋設土５を被せた状況を示している。
【００２０】  図４は、埋設土５を締固めすると、管の周りは締固めが十分にできるが、自立用梁４がある場所の側板３の外側では締固不十分な場所ができる状況を示している。
【００２１】  図５は、自立用梁４のない場所では、埋設土を締固めすると、側板３が広がり、管の周辺及び側板３の外側においても締固めが十分になる。
【００２２】  図４と図５の状況を上から見たのが図６であり、側板３が弓状に広がった場所ができている。自立用梁４がある場所では、側板３が広がっていないのが良く分かる。
【００２３】  図７は、図４の状態で、側板３の上に上板６を載せて、埋戻土７を入れて締固めすると、自立用梁４があるために側板３の上部は広がることがないが、側板３の下部は広がり、埋設管２が扁平することが想定される。
【００２４】  図８は、側板３に広がろうとする力が働くと、特殊自立用梁８に取付けられた側板３が広がる構造にして組立てられた状況を示す図である。
【００２５】  図９は、埋戻土が締め固められたときに、側板３が広がり埋戻土が均一に締め固められている状況を表している。
【００２６】  図１０は、図９の状況に埋戻土７を被せ締固めをして防護構造ができている状態。この状態では、側板３に特殊自立用梁のあるところもないところも、前記側板３全体が埋戻土７で均一に締め固められ、埋設管２が扁平することはない。
【００２７】  図１１は、特殊自立用梁タイプ（ａ）９の構造を表している。Ｂ部拡大図の形状が特徴である。
【００２８】  図１２は、特殊自立用梁タイプ（ａ）９が側板３に取付けられた一例を示している。特殊自立用梁（ａ）タイプ９を側板３の切欠き部に上から押込みセットする。側板３が広がろうとすると、ノコギリ状ところを越えて前記側板３が広がる仕組みである。
【００２９】  図１３は、先端が少し外径の大きい先端を有する特殊自立用梁タイプ（ｂ）１０の例を表している。側板３が広がろうとすると大きい外径の方へ移動して、側板３が広がる。他にもいろんな形状が考えられる。これらは一例である。
【００３０】  図１４は、伸びる特殊自立用梁１１の一例を表しており、前記側板が広がろうとするときに、前記伸びる特殊自立用梁１１が伸びる。これにより側板が広がる。弱い力では広がらない構造が望ましい。
【００３１】  自立用梁は、プラスチック製で耐久性のある材質が望ましい。埋設して半永久的に地中埋設管に悪い影響を与えない材質が望ましい。
【符号の説明】
【００３２】  １  管床部
２  埋設管
３  側板
４  自立用梁
５  埋設土
６  上板
７  埋戻土
８  特殊自立用梁
９  特殊自立用梁タイプ（ａ）
１０  特殊自立用梁タイプ（ｂ）
１１  伸びる特殊自立用梁
【図１】
2019112916.tif 000003
【図２】
2019112916.tif 000004
【図３】
2019112916.tif 000005
【図４】
2019112916.tif 000006
【図５】
2019112916.tif 000007
【図６】
2019112916.tif 000008
【図７】
2019112916.tif 000009
【図８】
2019112916.tif 000010
【図９】
2019112916.tif 000011
【図１０】
2019112916.tif 000012
【図１１】
2019112916.tif 000013
【図１２】
2019112916.tif 000014
【図１３】
2019112916.tif 000015
【図１４】
2019112916.tif 000016